(57)【特許請求の範囲】
【請求項１】
箱本体と、該箱本体の下側に嵌合するロアカバーと、前記箱本体に形成されるフレームに組み付けられる回路ブロックとを備えるとともに、該回路ブロックを組み付けた状態にて前記箱本体の下部から前記ロアカバー側に数多くの電線が引き出される電気接続箱において、
前記引き出された数多くの電線の中から突出する柱状コネクタキャビティを、前記回路ブロックに少なくとも一つ設け、かつ前記フレームに前記回路ブロックを固定する前記回路ブロック側のロック部分に近い位置に配設する
ことを特徴とする電気接続箱。
【請求項２】
箱本体と、該箱本体の下側に嵌合するロアカバーと、前記箱本体に形成されるフレームに組み付けられる回路ブロックとを備えるとともに、該回路ブロックを組み付けた状態にて前記箱本体の下部から前記ロアカバー側に数多くの電線が引き出される電気接続箱において、
前記回路ブロックを複数備えるものとし、該複数のうち少なくとも最後に組み付けられるものに、前記引き出された数多くの電線の中から突出する柱状コネクタキャビティを設ける
ことを特徴とする電気接続箱。
【請求項３】
請求項２に記載の電気接続箱において、
前記柱状コネクタキャビティを、前記フレームに前記回路ブロックを固定する前記回路ブロック側のロック部分に近い位置に配設する
ことを特徴とする電設続箱。
【請求項４】
請求項１ないし請求項３に記載の電気接続箱において、
前記柱状コネクタキャビティを、前記箱本体の側壁から離れ且つ前記引き出された数多くの電線が周囲に存在する位置に配設する
ことを特徴とする電設続箱。
【発明の詳細な説明】
【技術分野】
【０００１】
本発明は、箱本体の下部から数多くの電線が引き出される電気接続箱に関する。
【背景技術】
【０００２】
図８において、下記特許文献１に開示された電気接続箱１は、自動車の所定位置に搭載されるものであって、箱本体２（電気接続箱本体）と、この箱本体２の上側を覆うように嵌合する図示しないアッパーカバーと、箱本体２の下側を覆うように嵌合するロアカバー３とを備えて構成されている。箱本体２は、この構成にバスバー組立体４及び回路ブロック５を含んでおり、これらを組み付けることによって形成されている。
【０００３】
箱本体２には、複数のヒュージブルリンク装着部６と、複数のヒューズ装着部７とが形成されている。また、箱本体２には、固定部８を有するフレーム９が複数形成されている。フレーム９の固定部８には、カセット形式のリレー装着部１０が組み付け固定されるようになっている。ヒュージブルリンク装着部６には、ヒュージブルリンク１１が装着されるようになっている。また、ヒューズ装着部７には、ヒューズ１２が装着されるようになっている。また、リレー装着部１０には、リレー１３が装着されるようになっている。ヒュージブルリンク１１、ヒューズ１２、及びリレー１３のそれぞれの装着後、これらは図示しないアッパーカバーにより覆われ、そして、保護されるようになっている。
【０００４】
バスバー組立体４は、二枚のバスバーを対向配置させることにより形成されている。バスバー組立体４の上端には、ヒュージブルリンク装着部６に挿入される挟持端子１４（音叉端子）が上向きに数多く形成されている。また、バスバー組立体４の上端には、ヒューズ装着部７及びリレー装着部１０に挿入される各種タブ１５が上向きに数多く形成されている。バスバー組立体４の下端には、回路ブロック５に挿入される各種タブ１６が下向きに数多く形成されている。
【０００５】
回路ブロック５は、水平な基壁１７に複数のコネクタハウジング１８〜２０を下向きに一体に設けてなるものであって、各コネクタハウジング１８〜２０の各基部には、バスバー組立体４の下向きの各種タブ１６がそれぞれ挿入されるようになっている。回路ブロック５は、下向きの各種タブ１６が各コネクタハウジング１８〜２０に挿入されると、これにより複数のコネクタが形成されるようになっている。
【０００６】
形成されたコネクタに対し外部からワイヤハーネス２１の端末がコネクタ接続されると、また、箱本体２における回路ブロック５以外の箇所にもワイヤハーネス２１の端末が接続されると、箱本体２はこの下側に数多くの電線が存在するようになっている。
【０００７】
ワイヤハーネス２１の端末は、箱本体２の下側にロアカバー３を嵌合させた時、ロアカバー３の電線引き出し口２２から引き出されるようになっている。ワイヤハーネス２１には、細い電線の他に比較的太い電源線も含まれている（ワイヤハーネス２１とは別に電源線が単独で配索されることも当然にある）。電源線に係るコネクタ接続にあっては、通常、最後に行われるようになっている。
【先行技術文献】
【特許文献】
【０００８】
【特許文献１】特開２００５−１８５０３４号公報
【発明の概要】
【発明が解決しようとする課題】
【０００９】
上記従来の電気接続箱１にあっては、組み付け作業に関して次のような問題点を有している。すなわち、箱本体２の下部には数多くの電線が存在することから、電源線のような比較的太い電線をコネクタ接続する場合、先に接続された数多くの電線を掻き分けつつ所定位置に挿入するようにしなければならず、このため作業がし難くなってしまうのは勿論のこと、電線の噛み込みやコネクタの半嵌合が発生し易くなり、仮に発生したとしてもこれを目視にて見つけることは数多くの電線の存在によって困難であるという問題点を有している。
【００１０】
尚、上記幾つかの問題点は、比較的太い電線をコネクタ接続する場合に限るものではない。何故ならば、コネクタ接続に係る作業は初めのうち邪魔になる部分が少なく容易であるが、次第に電線の数が多くなるにつれて電線の太さに関係なく電線を掻き分けて作業をするようになるからである。
【００１１】
また、上記従来の電気接続箱１にあっては、組み付け作業に関して次のような問題点も有している。すなわち、箱本体２の図示しないフレームに対し回路ブロック５を組み付けた後、ワイヤハーネス２１の端末を回路ブロック５にコネクタ接続するという作業手順で箱本体２の組み付けが進められるが、コネクタ接続に係る作業においては箱本体２の側壁などの各種の壁が邪魔になり、結果、作業がし難くなるという問題点を有している。
【００１２】
ここで、上記従来の電気接続箱１からはなれ電気接続箱１の上記作業手順とは別の作業手順を考えてみる。具体的には、ワイヤハーネスの端末を回路ブロックに接続した後、この回路ブロックを箱本体のフレームに組み付けるという作業手順を考えてみる。このような作業手順によれば、コネクタ接続に係る作業において邪魔になる壁がないことから、作業性が向上するようにも思われる。しかしながら、回路ブロックは、この下側から数多くの電線が引き出される状態になることから、フレームに対し回路ブロックを組み付ける際には、回路ブロックを指で押し込む部分が数多くの電線によって隠されてしまい、このため電線を掻き分けるという面倒な作業が必要になるという問題点を有している。
【００１３】
本発明は、上記した事情に鑑みてなされたもので、組み付け作業性が良好な電気接続箱を提供することを課題とする。また、組み付け作業時に電線の噛み込みや半嵌合の起こり難い電気接続箱を提供することを課題とする。
【課題を解決するための手段】
【００１４】
上記課題を解決するためになされた請求項１記載の本発明の電気接続箱は、箱本体と、該箱本体の下側に嵌合するロアカバーと、前記箱本体に形成されるフレームに組み付けられる回路ブロックとを備えるとともに、該回路ブロックを組み付けた状態にて前記箱本体の下部から前記ロアカバー側に数多くの電線が引き出される電気接続箱において、前記引き出された数多くの電線の中から突出する柱状コネクタキャビティを、前記回路ブロックに少なくとも一つ設け、かつ前記フレームに前記回路ブロックを固定する前記回路ブロック側のロック部分に近い位置に配設することを特徴とする。
【００１５】
このような特徴を有する本発明によれば、数多くの電線を引き出した状態に回路ブロックを形成した後、回路ブロックの柱状コネクタキャビティを持って箱本体のフレームに押し込めば、数多くの電線が存在する中であってもフレームに対する回路ブロックの組み付け作業を簡単に行うことが可能になる。また、本発明によれば、数多くの電線の中から突出させるように柱状コネクタキャビティを形成することから、ワイヤハーネスの端末を複数箇所コネクタ接続する作業において、この作業の最後の頃であっても数多くの電線を掻き分けて接続する必要がないようにすることが可能になる。
【００１６】
本発明において、柱状コネクタキャビティの突出に関し、数多くの電線を越えて高く突出させなくてもよいものとする。高く突出させる方が作業し易くなるのは勿論であるが、数多くの電線が存在する中でフレームに対する回路ブロックの組み付け作業を簡単に行えるのであれば、数多くの電線の中に露出する程度の高さにしてもよいものとする。例えば、周囲よりも一段高くなる程度の高さ、或いは周囲で一番高くなる高さを下限値の目安にしてもよいものとする。
【００１７】
また、上記課題を解決するためになされた請求項２記載の本発明の電気接続箱は、箱本体と、該箱本体の下側に嵌合するロアカバーと、前記箱本体に形成されるフレームに組み付けられる回路ブロックとを備えるとともに、該回路ブロックを組み付けた状態にて前記箱本体の下部から前記ロアカバー側に数多くの電線が引き出される電気接続箱において、前記回路ブロックを複数備えるものとし、該複数のうち少なくとも最後に組み付けられるものに、前記引き出された数多くの電線の中から突出する柱状コネクタキャビティを設けることを特徴とする。
【００１８】
このような特徴を有する本発明によれば、幾つかの回路ブロックを所定のフレームに組み付けた後、この組み付けた回路ブロックから数多くの電線が引き出された状態であっても、柱状コネクタキャビティを持ちつつ押し込むことにより、最後の回路ブロックに係る組み付け作業を簡単に行うことが可能になる。
【００１９】
請求項３記載の本発明の電気接続箱は、請求項２に記載の電気接続箱において、前記柱状コネクタキャビティを、前記フレームに前記回路ブロックを固定する前記回路ブロック側のロック部分に近い位置に配設することを特徴とする。
【００２０】
このような特徴を有する本発明によれば、回路ブロックを押し込む力をフレームとのロック部分へ効果的に作用させることが可能になる。
【００２１】
請求項４記載の本発明の電気接続箱は、請求項１ないし請求項３いずれか記載の電気接続箱において、前記柱状コネクタキャビティを、前記箱本体の側壁から離れ且つ前記引き出された数多くの電線が周囲に存在する位置に配設することを特徴とする。
【００２２】
このような特徴を有する本発明によれば、一般的に箱本体の側壁から離れるにつれて数多くの電線が存在するようになることから、側壁の位置に配慮して柱状コネクタキャビティを配設すれば、効果的に作業を行うことが可能になる。また、本発明によれば、箱本体の側壁が邪魔にならず、作業を簡単に行うことが可能になる。
【発明の効果】
【００２３】
請求項１、２に記載された本発明によれば、柱状コネクタキャビティを設けることにより、電線を掻き分けるという面倒な作業を不要にすることができる。また、数多くの電線が存在するなかで回路ブロックを押し込む部分を確保することができる。従って、作業性の向上を図ることができるという効果を奏する。また、本発明によれば、柱状コネクタキャビティを設けることにより、電線の噛み込み防止や半嵌合防止を図ることができるという効果を奏する。
【００２４】
請求項１に記載された本発明は、回路ブロックを箱本体のフレームに組み付ける前にワイヤハーネスの端末を回路ブロックに対しコネクタ接続する場合に特に有効となる発明であり、請求項２に記載された本発明は、複数の回路ブロックのうち最後の回路ブロックの組み付け作業に対して特に有効となる発明である。
【００２５】
請求項３に記載された本発明によれば、回路ブロックを箱本体のフレームに対し確実にロックさせることができる。従って、半嵌合を起こり難くすることができるという効果を奏する。
【００２６】
請求項４に記載された本発明によれば、作業面で効果的な位置に柱状コネクタキャビティを配置することにより、作業性の向上を図ることができるという効果を奏する。
【図面の簡単な説明】
【００２７】
【図１】本発明の電気接続箱に係る組み付け作業を説明するための模式図（第一実施形態）である。
【図２】本発明の電気接続箱に係る組み付け作業を説明するための模式図（第二実施形態）である。
【図３】箱本体の斜視図（第三実施形態）である。
【図４】図３に示す箱本体の底面図である。
【図５】図３に示す箱本体の底面側から見た斜視図である。
【図６】最後の回路ブロックを装着する直前の状態を示す箱本体の斜視図である。
【図７】数多くの電線が引き出されている状態を示す箱本体の底面側から見た斜視図である。
【図８】従来例の電気接続箱の分解斜視図である。
【発明を実施するための形態】
【００２８】
図面を参照しながら先ず第一実施形態について説明する。図１は本発明の電気接続箱に係る組み付け作業を説明するための模式図である。
【００２９】
図１（ａ）及び（ｂ）において、引用符号３１は箱本体を示している。箱本体３１は、絶縁性を有する合成樹脂製のフレーム構造部３２と、所望の回路を有しブロック形状に形成される回路ブロック３３とを備えて構成されている。フレーム構造部３２は、この上面及び下面が開口するように形成されている。また、側壁３４によって囲まれるように形成されている。フレーム構造部３２の内側には、回路ブロック３３を組み付けるためのフレーム３５が形成されている。
【００３０】
回路ブロック３３には、複数のコネクタ接続部（図示省略）が形成されている。また、柱状コネクタキャビティ３６も形成されている。上記コネクタ接続部は、特に限定するものでないが、ワイヤハーネス３７の数多くの端末３８（電線）を上記所望の回路にコネクタ接続するために形成されている。
【００３１】
柱状コネクタキャビティ３６は、最後にコネクタ接続を行うようなコネクタ３９に対して形成されている。コネクタ３９は、特に限定するものでないが、比較的太い電源線４０の端末に設けられている。柱状コネクタキャビティ３６は、周囲のコネクタ接続部と異なり高く突出するような略柱形状に形成されている。柱状コネクタキャビティ３６は、側壁３４から離れる位置に配設されている。
【００３２】
図１（ａ）において、フレーム構造部３２のフレーム３５に回路ブロック３３を組み付ける場合、先ずフレーム構造部３２及び回路ブロック３３の各下部を例えば図示の如く上側に向けて配置する。
【００３３】
回路ブロック３３の下部を上側に向けた状態で、次に回路ブロック３３に対しワイヤハーネス３７の数多くの端末３８をコネクタ単位で一つひとつコネクタ接続する。端末３８をコネクタ接続した後には、電源線４０のコネクタ３９を柱状コネクタキャビティ３６に対しコネクタ接続する。柱状コネクタキャビティ３６は、数多くの端末３８の中から突出するような状態で設けられることから、数多くの端末３８を掻き分けることなく電源線４０のコネクタ３９を容易にコネクタ接続することができる。
【００３４】
最後に柱状コネクタキャビティ３６を持ち、若しくは柱状コネクタキャビティ３６にコネクタ接続されたコネクタ３９を持ち、そして、この部分を利用して回路ブロック３３をフレーム３５に対し押し込むようにして組み付ければ、図１（ｂ）に示す如くの箱本体３１の組み付け作業が完了する。
【００３５】
尚、特に図示しないが、回路ブロック３３及びフレーム３５には、これらを固定状態にするためのロック部分（ロック構造）がそれぞれ設けられている。本形態においては、ロック部分に近い位置に柱状コネクタキャビティ３６が配置されている。これは、回路ブロック３３を押し込む際の力をロック部分に対して効果的に作用させるためである。
【００３６】
柱状コネクタキャビティ３６は、回路ブロック３３をフレーム３５に押し込む際の押し込み部分としても機能するようになっている。柱状コネクタキャビティ３６は、上記の如く数多くの端末３８の中から突出するような状態で設けられることから、端末３８を掻き分けて押し込み部分を確保するような面倒な作業は不要になる。柱状コネクタキャビティ３６を持つことにより、回路ブロック３３の押し込みを確実に行うことができる。すなわち、フレーム３５に対する回路ブロック３３の半嵌合を防止することができる。
【００３７】
この他、柱状コネクタキャビティ３６を設けることにより、数多くの端末３８を掻き分けることなくコネクタ３９をコネクタ接続することができることから、コネクタ３９の半嵌合も防止することができる。
【００３８】
柱状コネクタキャビティ３６は、数多くの端末３８の中から突出するような状態で設けられることから、コネクタ３９の半嵌合有無の確認をし易くすることができる。柱状コネクタキャビティ３６は、数多くの端末３８の掻き分けが生じるような箇所であれば、一つに限らず幾つか設けてもよいものとする。
【００３９】
箱本体３１の組み付けが完了した後、フレーム構造部３２及び回路ブロック３３の各下部が図１（ｃ）に示す如く下側に向くように箱本体３１を配置する。箱本体３１は、この下部から数多くの電線が引き出された状態にある。そして、この後にリレー４１やヒューズ４２等を箱本体３１の上側から装着してアッパーカバー４３で覆い保護するとともに、箱本体３１の下側からロアカバー４４で覆い保護すると、電気接続箱４５の組み付けが完了する。ワイヤハーネス３７や電源線４０は、ロアカバー４４の電線引き出し口４６から引き出される。
【００４０】
尚、上記説明では、コネクタ３９を柱状コネクタキャビティ３６にコネクタ接続した後に、回路ブロック３３をフレーム３５に組み付けていたが、これに限らずコネクタ３９のコネクタ接続のみを後回しにしてもよいものとする。すなわち、回路ブロック３３をフレーム３５に組み付けた後にコネクタ３９のみを柱状コネクタキャビティ３６にコネクタ接続してもよいものとする。
【００４１】
次に、図２を参照しながら第二実施形態について説明する。図２は本発明の電気接続箱に係る組み付け作業を説明するための模式図である。
【００４２】
図２（ａ）において、引用符号５１は箱本体を示している。箱本体５１は、絶縁性を有する合成樹脂製のフレーム構造部５２と、所望の回路を有しブロック形状に形成される複数の回路ブロック５３〜５５とを備えて構成されている（回路ブロックの数は一例であるものとする）。フレーム構造部５２は、この上面及び下面が開口するように形成されている。また、側壁５６によって囲まれるように形成されている。フレーム構造部５２の内側には、回路ブロック５３〜５５を一つひとつ組み付けるためのフレーム５７〜５９が形成されている。
【００４３】
回路ブロック５３、５４には、複数のコネクタ接続部（図示省略）が形成されている。一方、回路ブロック５５には、柱状コネクタキャビティ６０と、図示しないバスバー装着部とが形成されている。上記コネクタ接続部は、特に限定するものでないが、ワイヤハーネス６１の数多くの端末６２（電線）を上記所望の回路にコネクタ接続するための部分として形成されている。
【００４４】
柱状コネクタキャビティ６０は、最後にコネクタ接続を行うようなコネクタ６３に対して形成されている。コネクタ６３は、特に限定するものでないが、比較的太い電源線６４の端末に設けられている。柱状コネクタキャビティ６０は、回路ブロック５３、５４のコネクタ接続部と異なり高く突出するような略柱形状に形成されている。柱状コネクタキャビティ６０は、側壁５６から離れる位置に配設されている。
【００４５】
上記バスバー装着部は、柱状コネクタキャビティ６０の図面奥側に配置形成されており、柱状コネクタキャビティ６０よりも低く、回路ブロック５３、５４のコネクタ接続部と同等、若しくは若干高くなる程度に形成されている。バスバー装着部には、図示しないバスバーが装着されるようになっている。柱状コネクタキャビティ６０を介して接続される電源線６４は、上記バスバーに接続されるようになっている。
【００４６】
図２（ａ）において、フレーム構造部５２のフレーム５７〜５９に回路ブロック５３〜５５を組み付ける場合、先ずフレーム構造部５２及び回路ブロック５３〜５５の各下部を例えば図示の如く上側に向けて配置する。
【００４７】
回路ブロック５３〜５５の各下部を上側に向けた状態で、次に回路ブロック５３、５４に対しワイヤハーネス６１の数多くの端末６２をコネクタ単位で一つひとつコネクタ接続する。端末６２をコネクタ接続した後には、電源線６４のコネクタ６３を回路ブロック５５の柱状コネクタキャビティ６０に対しコネクタ接続する。
【００４８】
続いて図２（ｂ）に示す如く回路ブロック５３、５４をフレーム構造部５２における左右両側のフレーム５７、５８に組み付ける。フレーム５７、５８に回路ブロック５３、５４を組み付けると、中央に位置するフレーム５９の周囲に数多くの端末６２が存在する。
【００４９】
最後に柱状コネクタキャビティ６０を持ち、若しくは柱状コネクタキャビティ６０にコネクタ接続されたコネクタ６３を持ち、そして、この部分を利用して回路ブロック５５をフレーム５９に対し押し込むようにして組み付ければ、箱本体５１の組み付け作業が完了する。
【００５０】
柱状コネクタキャビティ６０は、数多くの端末６２の中から突出するような状態で設けられることから、フレーム５９の周囲に数多くの端末６２が存在していても回路ブロック５５をフレーム５９に容易に組み付けることができる。
【００５１】
箱本体５１の組み付けが完了した後は、図１を参照しながら説明した第一実施形態と同様にアッパーカバーやロアカバーを箱本体５１に嵌合させれば電気接続箱の組み付けが完了する。
【００５２】
続いて、図３ないし図７を参照しながら第三実施形態について説明する。図３は箱本体の斜視図である。また、図４及び図５は箱本体の底面図及び斜視図、図６は最後の回路ブロックを装着する直前の状態を示す箱本体の斜視図、図７は数多くの電線が引き出されている状態を示す箱本体の斜視図である。
【００５３】
図３において、引用符号７１は箱本体を示している。箱本体７１の上面側には、ヒューズ７２、ヒュージブルリンク７３、及びリレー７４が複数装着されている。このような箱本体７１を裏返し、図４に示す如く箱本体７１の下部（底面）を見ると、この下部からは数多くの電線が引き出されることが構造的に分かる（電線の図示は省略するものとする）。数多くの電線が引き出された状態において、図５に示す如く柱状コネクタキャビティ７５を突出形成すれば、最後にコネクタ接続を行うような電源線のコネクタ７６に対して、このコネクタ７６の接続位置が上記下部における略中央位置であっても、数多くの電線を掻き分けずに容易にコネクタ接続することができることが分かる。
【００５４】
尚、変形例として、図６に示す如くフレーム構造部７７の側壁内側に沿って回路ブロック７８、複数の回路ブロック７９、及び複数の回路ブロック８０を組み付け、この後に、最後となる回路ブロック８１を略中央位置のフレーム８２に組み付けようとする場合、回路ブロック８１に柱状コネクタキャビティ７５を形成しておくことで、フレーム８２の周囲に数多く電線が存在していても回路ブロック８１を容易に組み付けることができることが分かる。
【００５５】
柱状コネクタキャビティ７５に関し補足説明をすると、引用符号８３はバスバー装着部を示しており、このバスバー装着部８３よりも柱状コネクタキャビティ７５は高く突出するように形成されている。
【００５６】
図７において、箱本体７１の下部から数多くの電線８４、８５、８６…、や電源線８７が引き出された状態を見ると、柱状コネクタキャビティ７５は高く突出している。従って、箱本体７１は、上記の効果を奏することができるということが分かる。
【００５７】
本発明は本発明の主旨を変えない範囲で種々変更実施可能なことは勿論である。
【符号の説明】
【００５８】
３１…箱本体
３２…フレーム構造部
３３…回路ブロック
３４…側壁
３５…フレーム
３６…柱状コネクタキャビティ
３７…ワイヤハーネス
３８…端末（電線）
３９…コネクタ
４０…電源線
４１…リレー
４２…ヒューズ
４３…アッパーカバー
４４…ロアカバー
４５…電気接続箱
４６…電線引き出し口
５１…箱本体
５２…フレーム構造部
５３〜５５…回路ブロック
５６…側壁
５７〜５９…フレーム
６０…柱状コネクタキャビティ
６１…ワイヤハーネス
６２…端末（電線）
６３…コネクタ
６４…電源線
７１…箱本体
７２…ヒューズ
７３…ヒュージブルリンク
７４…リレー
７５…柱状コネクタキャビティ
７６…コネクタ
７７…フレーム構造部
７８〜８１…回路ブロック
８２…フレーム
８３…バスバー装着部
８４〜８６…電線
８７…電源線
【図１】
0005543188.tif 000002
【図２】
0005543188.tif 000003
【図３】
0005543188.tif 000004
【図４】
0005543188.tif 000005
【図５】
0005543188.tif 000006
【図６】
0005543188.tif 000007
【図７】
0005543188.tif 000008
【図８】
0005543188.tif 000009